【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
（ア） 燃焼部と、
（イ）上記燃焼部に燃料を供給する燃料供給手段と、
（ウ）上記燃焼部に燃焼空気を供給する送風手段と、
（エ）上記燃料供給手段を制御して燃焼部への燃料供給量を制御するとともに、最適空燃比で燃焼が行なえるように上記送風手段を制御して上記燃料供給量に見合った送風量にする制御手段と、
を備えた燃焼装置において、
さらに、燃焼状態での共鳴の発生を検出する検出手段を備え、上記制御手段は、この検出手段での共鳴検出に応答して上記送風手段を制御し、送風量を、上記最適空燃比に対応する送風量から、空燃比の許容範囲内において変化させることを特徴とする燃焼装置。
【請求項２】
上記制御手段は、上記共鳴検出に応答して、上記送風量を上記検出手段が共鳴非検出状態になるまで漸増または漸減させることを特徴とする請求項１に記載の燃焼装置。
【請求項３】
（ア）複数の燃焼領域を有する燃焼部と、
（イ）上記燃焼領域毎に燃料を供給する燃料供給手段と、
（ウ）上記燃焼部からの燃焼熱を受ける熱交換部と、
（エ）上記燃料供給手段を制御することにより、要求燃焼熱量に応じて、複数の燃焼領域への選択的燃料供給を行うとともに各燃焼領域への燃料供給量を制御する制御手段と、
を備えた燃焼装置において、
さらに、燃焼状態での共鳴の発生を検出する検出手段を備え、上記制御手段は、この検出手段での共鳴検出に応答して、燃料供給を行なう燃焼領域の数を増減するとともに、この燃焼領域数の増減時に、上記熱交換部に付与される総燃焼熱量を実質的に変えないように、各燃焼領域への燃料供給量を制御することを特徴とする燃焼装置。
【請求項４】
上記制御手段は、通常制御モードにおいて要求燃焼熱量に応じヒステリシス特性をもって上記燃焼領域数の切換を行なうようにし、上記共鳴検出時には、総燃焼熱量がこのヒステリシス特性の上限と下限の範囲にあるときにのみ、燃焼領域数の切換を行なうことを特徴とする請求項３に記載の燃焼装置。
【請求項５】
さらに、上記燃焼部に燃焼空気を供給する送風手段と、上記熱交換部を通る配管内を流れる水量を調節するための流量調節手段とを備え、
上記制御手段は、上記共鳴検出時に、総燃焼熱量が上記ヒステリシス特性の上限と下限の範囲から外れている場合、または上記燃焼領域数の切換により共鳴非検出状態にならなかった場合には、上記送風手段を制御し、送風量を、上記最適空燃比に対応する送風量から、空燃比の許容範囲内において、共鳴非検出状態になるまで漸増または漸減し、
送風量が上記空燃比の許容範囲を超えても共鳴非検出状態にならない場合には、上記燃焼領域への燃料供給量を減らすとともに、出湯温度が設定温度に維持されるように、上記流量調節手段を制御して上記配管内の水量を減らすことを特徴とする請求項４に記載の燃焼装置。
【請求項６】
上記共鳴検出手段が、音センサ、上記燃焼部を収容するケーシング内の圧力を検出する圧力センサ、このケーシングまたはケーシング内に収容された上記燃焼部を含む構成要素の振動を検出する振動センサ、ケーシングを流れる風量を検出する風量センサ、ガス供給路に設けたガス圧センサのうちの１つであることを特徴とする請求項１〜５のいずれかに記載の燃焼装置。
【手続補正２】
【補正対象書類名】明細書
【補正対象項目名】０００４
【補正方法】変更
【補正の内容】
【０００４】
請求項１の発明は、
（ア） 燃焼部と、
（イ）上記燃焼部に燃料を供給する燃料供給手段と、
（ウ）上記燃焼部に燃焼空気を供給する送風手段と、
（エ）上記燃料供給手段を制御して燃焼部への燃料供給量を制御するとともに、最適空燃比で燃焼が行なえるように上記送風手段を制御して上記燃料供給量に見合った送風量にする制御手段と、
を備えた燃焼装置において、
さらに、燃焼状態での共鳴の発生を検出する検出手段を備え、上記制御手段は、この検出手段での共鳴検出に応答して上記送風手段を制御し、送風量を、上記最適空燃比に対応する送風量から、空燃比の許容範囲内において変化させることを特徴とする燃焼装置。
請求項２の発明は、請求項１に記載の燃焼装置において、上記制御手段は、上記共鳴検出に応答して、上記送風量を上記検出手段が共鳴非検出状態になるまで漸増または漸減させることを特徴とする。
【手続補正３】
【補正対象書類名】明細書
【補正対象項目名】０００５
【補正方法】変更
【補正の内容】
【０００５】
請求項３の発明は、
（ア）複数の燃焼領域を有する燃焼部と、
（イ）上記燃焼領域毎に燃料を供給する燃料供給手段と、
（ウ）上記燃焼部からの燃焼熱を受ける熱交換部と、
（エ）上記燃料供給手段を制御することにより、要求燃焼熱量に応じて、複数の燃焼領域への選択的燃料供給を行うとともに各燃焼領域への燃料供給量を制御する制御手段と、
を備えた燃焼装置において、
さらに、燃焼状態での共鳴の発生を検出する検出手段を備え、上記制御手段は、この検出手段での共鳴検出に応答して、燃料供給を行なう燃焼領域の数を増減するとともに、この燃焼領域数の増減時に、上記熱交換部に付与される総燃焼熱量を実質的に変えないように、各燃焼領域への燃料供給量を制御することを特徴とする燃焼装置。
請求項４の発明は、請求項３に記載の燃焼装置において、上記制御手段は、通常制御モードにおいて要求燃焼熱量に応じヒステリシス特性をもって上記燃焼領域数の切換を行なうようにし、上記共鳴検出時には、総燃焼熱量がこのヒステリシス特性の上限と下限の範囲にあるときにのみ、燃焼領域数の切換を行なうことを特徴とする。
請求項５の発明は、請求項４に記載の燃焼装置において、
さらに、上記燃焼部に燃焼空気を供給する送風手段と、上記熱交換部を通る配管内を流れる水量を調節するための流量調節手段とを備え、
上記制御手段は、上記共鳴検出時に、総燃焼熱量が上記ヒステリシス特性の上限と下限の範囲から外れている場合、または上記燃焼領域数の切換により共鳴非検出状態にならなかった場合には、上記送風手段を制御し、送風量を、上記最適空燃比に対応する送風量から、空燃比の許容範囲内において、共鳴非検出状態になるまで漸増または漸減し、
送風量が上記空燃比の許容範囲を超えても共鳴非検出状態にならない場合には、上記燃焼領域への燃料供給量を減らすとともに、出湯温度が設定温度に維持されるように、上記流量調節手段を制御して上記配管内の水量を減らすことを特徴とする。
【手続補正４】
【補正対象書類名】明細書
【補正対象項目名】００１０
【補正方法】変更
【補正の内容】
【００１０】
上記熱交換部２０は、多数のフィン２１を有している。給湯のための配管６０は、熱交換部２０を通る受熱管６１と、この受熱管６１の入口端に接続された給水管６２と、受熱管６１の出口端に接続された給湯管６３と、受熱管６１と並列をなして給水管６２と給湯管６３との間に接続されたバイパス管６４とを備えている。
給水管６２には入水温度センサ６６とフローセンサ６８とが設けられている。給湯管６３には、出湯温度センサ６７と流量調節弁６５とが設けられるとともに、その下流端に給湯栓６９が設けられている。
【手続補正５】
【補正対象書類名】明細書
【補正対象項目名】００１２
【補正方法】変更
【補正の内容】
【００１２】
上記制御ユニット７０による燃焼制御について説明する。給湯栓６９の開によりフローセンサ６８で水流を検出した時には、これに応答して点火動作を行うとともに主開閉弁５４および副開閉弁５６を開き、必要に応じて副開閉弁５７も開いて、燃焼を開始する。そして、フローセンサ６８で検出された流量と入水温度センサ６６で検出された入水温度とリモートコントローラで設定された設定温度に基づいてフィードフォワード制御成分を演算し、出湯温度センサ６７で検出された出湯温度と設定温度に基づいてフィードバック制御成分を演算する。そして、このフィードフォワード制御成分にフィードバック制御成分を加算した制御値に基づいて、出湯温度が設定温度になるように、比例弁５５を制御する。これにより、供給ガス量を制御し、ひいては燃焼熱量を制御する。
【手続補正６】
【補正対象書類名】明細書
【補正対象項目名】００２４
【補正方法】変更
【補正の内容】
【００２４】
【発明の効果】
以上説明したように、請求項１の発明によれば、共鳴検出手段を備えて、共鳴検出時に燃焼条件を変えるようにしたので、製品開発段階での共鳴防止対策に費やす時間とコストを削減することができ、また製品設置条件に左右されずに共鳴防止を確実に行うことができる。しかも燃焼条件として送風量を変えることにより共鳴防止を行うので、燃焼熱量を変えずに済む。
請求項３の発明でも総燃焼熱量を変えずに済む。
請求項６の発明によれば、音センサ，圧力センサ，振動センサ，風量センサ，ガス圧センサを用いることにより、共鳴検出を確実に行うことができる。